【手続補正書】
【提出日】平成26年1月30日(2014.1.30)
【手続補正１】
【補正対象書類名】特許請求の範囲
【補正対象項目名】全文
【補正方法】変更
【補正の内容】
【特許請求の範囲】
【請求項１】
方法であって、
それぞれ異なる送信優先度に関連づけられたアクセスカテゴリ群に含まれるアクセスカテゴリであり、一次無線通信デバイスにデータを送信する送信機会（ＴＸＯＰ）の一次アクセスカテゴリを決定する段階と、
前記ＴＸＯＰ中に前記一次無線通信デバイスに送信すべき前記一次アクセスカテゴリに属す１以上の一次データユニットを取得する段階と、
前記アクセスカテゴリ群に含まれるアクセスカテゴリであり、前記一次アクセスカテゴリとは異なる送信優先度を有する前記ＴＸＯＰの二次アクセスカテゴリを決定する段階と、
前記ＴＸＯＰ中に二次無線通信デバイスに送信すべき前記二次アクセスカテゴリに属す１以上の二次データユニットを取得する段階と、
（ｉ）前記１以上の一次データユニットおよび（ｉｉ）前記１以上の二次データユニットを具現化する空間ステアリングストリームを、前記ＴＸＯＰ中に送信する段階と
を備え、
前記二次アクセスカテゴリを決定する段階は、（ｉ）前記一次アクセスカテゴリより優先度の高い送信を有し、かつデータの送信準備ができているアクセスカテゴリがあるかを判断する段階と、（ｉｉ）前記二次アクセスカテゴリとして、前記優先度の高い送信を有する前記アクセスカテゴリを選択する段階とを含む、方法。
【請求項２】
マルチユーザフレームに前記１以上の一次データユニットを含める段階と、
前記１以上の一次データユニットに基づいて、前記マルチユーザフレームの長さを決定する段階と、
決定された前記長さに基づいて前記マルチユーザフレームの前記１以上の二次データユニットの長さを限定する段階と
をさらに備え、
前記送信する段階は、
前記ＴＸＯＰの一部において、前記マルチユーザフレームを送信する段階を有する、  請求項１に記載の方法。
【請求項３】
前記１以上の一次データエレメントの少なくとも一部を受信する前記一次無線通信デバイスに、前記マルチユーザフレームの最後の後に第１の受領確認応答を送信させる段階と、
前記１以上の二次データエレメントの少なくとも一部を受信する前記二次無線通信デバイスに、前記第１の受領確認応答の送信期間が終わった後に、第２の受領確認応答を送信させる段階と
をさらに備える、請求項２に記載の方法。
【請求項４】
前記一次アクセスカテゴリを決定する段階は、前記一次アクセスカテゴリに関連するバックオフタイマに基づいて、ＥＤＣＡ（Enhanced Distributed Channel Access）に基づく前記ＴＸＯＰを決定する段階を有する、請求項１から３のいずれか一項に記載の方法。
【請求項５】
前記二次アクセスカテゴリに関するバックオフタイマを制御する段階をさらに備え、
制御される前記バックオフタイマは、前記ＴＸＯＰ中の前記一次アクセスカテゴリに関連する通信の失敗について不利益を受けない、請求項４に記載の方法。
【請求項６】
即時の受領確認応答が受信されなかった場合、前記一次アクセスカテゴリに関する復元バックオフを開始する段階をさらに備える、請求項４に記載の方法。
【請求項７】
前記１以上の二次データエレメントユニットを取得する段階は、
前記二次アクセスカテゴリに関するバックオフタイマをリセットする段階を有する、請求項４に記載の方法。
【請求項８】
ＨＣＦ（hybrid coordination function）を利用して無線通信リソースへのアクセスを制御する段階をさらに備え、
前記ＴＸＯＰはＨＣＣＡ（ＨＣＦ制御チャネルアクセス）に基づいている、請求項１から３のいずれか一項に記載の方法。
【請求項９】
前記ステアリングストリームを送信する段階は、２以上の宛先それぞれに２以上の異なるトラフィック識別子（ＴＩＤ）に関する２以上のデータフレームを送信する段階を有する、請求項１から８のいずれか一項に記載の方法。
【請求項１０】
前記ＴＸＯＰの前記二次アクセスカテゴリを決定する段階は、前記ＴＸＯＰについて２以上の二次アクセスカテゴリを決定する段階を有する、請求項１から９のいずれか一項に記載の方法。
【請求項１１】
無線通信インターフェースにアクセスする回路と、
プロセッサエレクトロニクスと
を備える装置であって、
前記プロセッサエレクトロニクスは、
それぞれ異なる送信優先度に関連づけられたアクセスカテゴリ群に含まれるアクセスカテゴリであり、一次無線通信デバイスにデータを送信する送信機会（ＴＸＯＰ）の一次アクセスカテゴリを決定し、
前記ＴＸＯＰ中に前記一次無線通信デバイスに送信すべき前記一次アクセスカテゴリに属す１以上の一次データユニットを取得し、
前記アクセスカテゴリ群に含まれるアクセスカテゴリであり、前記一次アクセスカテゴリとは異なる送信優先度を有する前記ＴＸＯＰの二次アクセスカテゴリを選択し、
前記ＴＸＯＰ中に二次無線通信デバイスに送信すべき前記二次アクセスカテゴリに属す１以上の二次データユニットを取得し、
（ｉ）前記１以上の一次データユニットおよび（ｉｉ）前記１以上の二次データユニットを具現化する空間ステアリングストリームの、前記ＴＸＯＰ中の送信を制御し、
前記二次アクセスカテゴリは、前記一次アクセスカテゴリより優先度の高い送信を有し、かつデータの送信準備ができているアクセスカテゴリがあれば、前記優先度の高い送信を有するように選択される、装置。
【請求項１２】
前記プロセッサエレクトロニクスはさらに、
マルチユーザフレームに前記１以上の一次データユニットを含め、
前記１以上の一次データユニットに基づいて、前記マルチユーザフレームの長さを決定し、
決定された前記長さに基づいて前記マルチユーザフレームの前記１以上の二次データユニットの長さを限定し、
前記ＴＸＯＰの一部において、前記マルチユーザフレームを送信する、請求項１１に記載の装置。
【請求項１３】
前記二次アクセスカテゴリは、前記一次アクセスカテゴリより優先度の高い送信を有し、かつデータの送信準備ができているアクセスカテゴリがない場合、前記一次アクセスカテゴリより優先度の低い送信を有するように選択される、請求項１１または１２に記載の装置。
【請求項１４】
前記一次アクセスカテゴリの決定は、前記一次アクセスカテゴリに関連するバックオフタイマに基づいた、ＥＤＣＡ（Enhanced Distributed Channel Access）に基づく前記ＴＸＯＰの決定を含む、請求項１１または１２に記載の装置。
【請求項１５】
さらに前記二次アクセスカテゴリに関するバックオフタイマを制御し、制御される前記バックオフタイマは、前記ＴＸＯＰ中の前記一次アクセスカテゴリに関連する通信の失敗について不利益を受けない、請求項１４に記載の装置。
【請求項１６】
さらに、即時の受領確認応答が受信されなかった場合、前記一次アクセスカテゴリに関する復元バックオフを開始する、請求項１４に記載の装置。
【請求項１７】
前記１以上の二次データエレメントユニットの取得は、
前記二次アクセスカテゴリに関するバックオフタイマのリセットを含む、請求項１４に記載の装置。
【請求項１８】
プロセッサエレクトロニクスと、
回路と
を備えるシステムであって、
前記プロセッサエレクトロニクスは、
それぞれ異なる送信優先度に関連づけられたアクセスカテゴリ群に含まれるアクセスカテゴリであり、一次無線通信デバイスにデータを送信する送信機会（ＴＸＯＰ）の一次アクセスカテゴリを決定し、
前記ＴＸＯＰ中に前記一次無線通信デバイスに送信すべき前記一次アクセスカテゴリに属す１以上の一次データユニットを取得し、
前記アクセスカテゴリ群に含まれるアクセスカテゴリであり、前記一次アクセスカテゴリとは異なる送信優先度を有する前記ＴＸＯＰの二次アクセスカテゴリを選択し、
前記ＴＸＯＰ中に二次無線通信デバイスに送信すべき前記二次アクセスカテゴリに属す１以上の二次データユニットを取得し、
前記回路は、
（ｉ）前記１以上の一次データユニットおよび（ｉｉ）前記１以上の二次データユニットを具現化する空間ステアリングストリームを、前記ＴＸＯＰ中に送信し、
前記二次アクセスカテゴリは、前記一次アクセスカテゴリより優先度の高い送信を有し、かつデータの送信準備ができているアクセスカテゴリがあれば、前記優先度の高い送信を有するように選択される、システム。
【請求項１９】
前記プロセッサエレクトロニクスはさらに、
マルチユーザフレームに前記１以上の一次データユニットを含め、前記ステアリングストリームは前記マルチユーザフレームを具現化しており、
前記１以上の一次データユニットに基づいて、前記マルチユーザフレームの長さを決定し、
決定された前記長さに基づいて前記マルチユーザフレームの前記１以上の二次データユニットの長さを限定する、請求項１８に記載のシステム。